(57)【要約】      （修正有）【課題】映像を観察している使用者に所定のタイミングであることを告知可能にした映像表示装置を得る。【解決手段】  使用時には記憶部１に格納されたデータが読み出し部２に読み出され、データ合成部３で判定部１０からのデータと合成される。合成されたデータのうち映像データは映像形成装置４に入力されて表示装置５により、使用者の眼に投影される。このヘッドマウントディスプレイは、受信部８を有しており、受信部８は、外部機器９から出力されている情報を無線で受信する。判定部１０は、受信部８からの信号を受け、それが予め設定してある信号と一致した場合、告知情報記憶手段１１に記憶してある告知情報から対応するデータを呼び出し、データ合成部３に送出して、読み出し部２からのデータと合成する。これにより、表示装置５には、映像情報と音声情報の他に、告知情報記憶手段１1から取り出された告知情報（映像、音声）が出力されることになる。【選択図】  図１
2007078911.tif 000002
【特許請求の範囲】
【請求項１】
少なくともその一部が頭部に装着されて使用され、少なくとも片眼に映像を表示する映像表示装置であって、映像データを表示する手段と、前記映像データの表示中に、ある所定のタイミングであることを使用者に告知する手段と、外部からの信号を無線接続で受信する受信手段とを有し、前記所定のタイミングであることが、前記受信手段が受ける信号によって検知されることを特徴とする映像表示装置。
【請求項２】
請求項１に記載の映像表示手段であって、前記受信手段が撮像装置であり、前記撮像装置により、外部に表示された所定のパターンが認識されたとき、前記所定のタイミングであると判断するものであることを特徴とする映像表示装置。
【請求項３】
請求項１に記載の映像表示手段であって、前記受信手段が外部の音声を認識する音声認識装置であり、前記音声認識装置により、所定のパターンを有する音声が認識されたとき、前記所定のタイミングであると判断するものであることを特徴とする映像表示装置。
【請求項４】
少なくともその一部が頭部に装着されて使用され、少なくとも片眼に映像を表示する映像表示装置であって、映像データを表示する手段と、前記映像データの表示中に、ある所定のタイミングであることを使用者に告知する手段と、加速度又は振動を認識する加速度又は振動認識装置を有し、前記加速度又は振動認識装置により、所定のパターンを有する加速度又は振動が認識されたとき、前記所定のタイミングであると判断するものであることを特徴とする映像表示装置。
【請求項５】
請求項１から請求項４のうち少なくとも２つの映像表示装置の機能を合わせ持つ映像表示装置であって、どの機能を使用するかを選択可能とされていることを特徴とする映像表示装置。
【請求項６】
請求項１から請求項５のうちいずれか１項に記載の映像表示装置であって、前記告知された情報の状態が、時間の経過と共に変化するようにされていることを特徴とする映像表示装置。
【請求項７】
請求項１から請求項６のうちいずれか１項に記載の映像表示装置であって、使用者が使用者への告知を止めるモードとして、前記告知の停止後にも再度使用者への告知が始まるモードと、前記告知の停止後には告知が始まらないモードの少なくとも二つのモードを持つことを特徴とする映像表示装置。
【発明の詳細な説明】
【技術分野】
【０００１】
本発明は、映像表示装置に関するものである。
【背景技術】
【０００２】
人間の眼の片側又は両側に、映像を投影表示し、映像そのものを楽しんだり、コンピュータの表示端末として使用するための映像表示装置として、ヘッドマウントディスプレイが開発されつつある。このようなヘッドマウントディスプレイの１例を図４に示す。この映像表示装置は、装着者Ｍに画像を表示するための表示手段である表示部２１を有している。この例では、表示部２１は、装着者Ｍの左眼ＬＩにのみ画像を表示する。表示部２１は、支持手段である支持部２２を介して装着部２３に支持されている。装着部２３は、頭部Ｈの前面、すなわち、顔Ｆにかからない位置に装着可能とされている。装着部２３は、装着者Ｍの頭部Ｈに配置される２箇所の保持部２４と、保持部２４を連結する連結部２６とを有している。この例では、保持部２５は、接続部２７を介して連結部２６に固定され、顔Ｆの両側となる耳Ｙの位置に配置されている。
【０００３】
また、連結部２６は、顔Ｆと反対側の後頭部ＨＢに位置されている。連結部２６は、後頭部ＨＢに沿った曲線状に形成されている。連結部２６は、例えば、弾性を有する樹脂により形成されている。この例では、保持部２５には、音声出力手段であるスピーカ２８が配置されている。
【０００４】
そして、支持部２２は、表示部２１を装着者Ｍの左眼ＬＩの眼前に配置する位置から、頭部側方を通って、後頭部側に水平に移動できるようになっている。支持部２２は、頭部側方に沿った曲線状に形成されている。支持部２２は、例えば、弾性を有する樹脂により形成されている。
【０００５】
そして、支持部２２は、頭部側方に沿って移動可能とされている。この例では、支持部２２は、装着部２３の連結部２６に収容可能とされ、連結部２６に沿って移動可能とされている。
【０００６】
これらのヘッドマウントディスプレイは、ポータブルであるという特徴を生かして、例えば通勤中の電車の中で映画等の映像を楽しんだり、読書を行ったりするような応用が期待されている。
【発明の開示】
【発明が解決しようとする課題】
【０００７】
しかしながら、これらヘッドマウントディスプレイは、視野の一部を遮って映像を表示するという特徴上、使用中に外部の情報を入手しづらくなるという問題があり、そのため例えば電車内で使用すると、駅で降り損ねるなどのトラブルが発生する可能性があった。
【０００８】
この対策として、ポータブル型テープレコーダの例であるが、例えば、特開２００２−５６６５９号公報では、時刻を設定し、その時刻にユーザに通知することによってその問題を解決している。しかし、例えば電車内での使用では、降りる駅や運行状況の変化によって、毎回時刻を設定し直さなければならないため煩わしいという問題がある。
【０００９】
本発明はこのような事情に鑑みてなされたもので、映像を観察する使用者に所定のタイミングであることを告知可能な映像表示装置を提供することを課題とする。
【課題を解決するための手段】
【００１０】
前記課題を解決するための第１の手段は、少なくともその一部が頭部に装着されて使用され、少なくとも片眼に映像を表示する映像表示装置であって、映像データを表示する手段と、前記映像データの表示中に、ある所定のタイミングであることを使用者に告知する手段と、外部からの情報を無線接続で受信する受信手段とを有し、前記所定のタイミングであることが、前記受信手段が受ける情報によって検知されることを特徴とする映像表示手段である。
【００１１】
前記課題を解決するための第２の手段は、前記第１の手段であって、前記受信手段が撮像装置であり、前記撮像装置により、外部に表示された所定のパターンが認識されたとき、前記所定のタイミングであると判断するものであることを特徴とするものである。
【００１２】
前記課題を解決するための第３の手段は、前記第１の手段であって、前記受信手段が外部の音声を認識する音声認識装置であり、前記音声認識装置により、所定のパターンを有する音声が認識されたとき、前記所定のタイミングであると判断するものであることを特徴とするものである。
【００１３】
前記課題を解決するための第４の手段は、少なくともその一部が頭部に装着されて使用され、少なくとも片眼に映像を表示する映像表示装置であって、映像データを表示する手段と、前記映像データの表示中に、ある所定のタイミングであることを使用者に告知する手段と、加速度又は振動を認識する加速度又は振動認識装置を有し、前記加速度又は振動認識装置により、所定のパターンを有する加速度又は振動が認識されたとき、前記所定のタイミングであると判断するものであることを特徴とするものである。
【００１４】
前記課題を解決するための第５の手段は、前記第１の手段から第４の手段のうち少なくとも２つの映像表示装置の機能を合わせ持つ映像表示装置であって、どの機能を使用するかを選択可能とされていることを特徴とするものである。
【００１５】
前記課題を解決するための第６の手段は、前記第１の手段から第５の手段のいずれかであって、前記告知された情報の状態が、時間の経過と共に変化するようにされていることを特徴とするものである。
【００１６】
前記課題を解決するための第７の手段は、前記第１の手段から第６の手段のいずれかであって、使用者が使用者への告知を止めるモードとして、告知の停止後にも再度使用者への告知が始まるモードと、前記告知の停止後には告知が始まらないモードの少なくとも二つのモードを持つことを特徴とするものである。
【発明の効果】
【００１７】
本発明によれば、映像を観察する使用者に所定のタイミングであることを告知可能な映像表示装置を提供することができる。
【発明を実施するための最良の形態】
【００１８】
以下、本発明の実施の形態の例を図を用いて説明する。図１は、本発明の実施の形態の１例である映像表示装置の概要を示すブロック図である。この実施の形態はヘッドマウントディスプレイに関するものであるが、このヘッドマウントディスプレイの外形形状、基本的な機能は、図４に示した従来のヘッドマウントディスプレイと変わらない。
【００１９】
このヘッドマウントディスプレイには、出力すべき映像と音声が格納された記憶部１があり、使用時には記憶部１に格納されたデータが読み出し部２に読み出され、データ合成部３により、後に説明される判定部１０からのデータと合成される。合成されたデータのうち映像データは映像形成装置４（ＬＣＤ等）に入力されて映像とされ、表示装置５により、使用者の眼に投影される。合成されたデータのうち音声データは、音声形成装置６に入って音声とされ、スピーカ７から出力される。
【００２０】
このヘッドマウントディスプレイは、受信部８を有しており、受信部８は、外部機器９から出力されている情報を無線で受信する。なお、無線とは電波を使用したものばかりでなく、赤外線等、他の通常使用されている信号伝搬手段を含むものとする。判定部１０は、受信部８からの信号を受け、それが予め設定してある信号と一致した場合、告知情報記憶手段１１に記憶してある告知情報から対応するデータを呼び出し、データ合成部３に送出して、読み出し部２からのデータと合成する。これにより、表示装置５とスピーカ７には、記憶部１に格納された映像情報と音声情報の他に、告知情報記憶手段１1から取り出された告知情報（映像、音声）が出力されることになる。
【００２１】
このとき、記憶部１と告知情報記憶手段１１からの情報の合成方法としては、両者を重畳させた情報を形成するようにするようにしてもよく、告知情報記憶手段１１からの情報が出力されているときには、記憶部１からの情報を出力しないようにしてもよい。
【００２２】
告知情報記憶手段１１から取り出された情報の表示は、予め定められた時間の間だけ行うようにしてもよいし、使用者が操作して消去するような信号を入力するまで表示し続けるようにしてもよい。さらに、使用者が操作して消去した場合、所定の時間が経過した後、再び告知を行うようにしてもよい。又、図１においては、告知信号として、映像、音声信号を使用するようにしているが、音声信号を使用せず、映像信号のみを使用するようにしてもよい。逆に、告知信号として映像信号を使用せず、音声信号のみを使用するようにしてもよい。
【００２３】
受信部８としては、ラジオ波又は赤外線を発生する外部機器９からの情報をうける受信機を使用するのが一般的であるが、これを、外部からの信号として外部の景色の像を受信（撮像）する撮像装置としてもよい。撮像装置は図４における表示部２１の眼に対面する面の裏側に、小型のものを設けておけばよい。判定部１０は、撮像装置が撮像した映像が、予め記憶されたパターンと一致したとき、告知情報記憶手段１１に記憶してある告知情報から対応するデータを呼び出し、データ合成部３に送出して、読み出し部２からのデータと合成する。
【００２４】
同様、受信部８として、外部からの信号として外部の音声を収集するマイクロフォンのような音声認識装置を使用することもできる。１０は、音声認識装置が検出した音声が、予め記憶されたパターンと一致したとき、告知情報記憶手段１１に記憶してある告知情報から対応するデータを呼び出し、データ合成部３に送出して、読み出し部２からのデータと合成する。
【００２５】
さらに、受信部８の代わりに、ヘッドマウントディスプレイが使用者の外部の影響により受ける加速度又は振動検出装置を用いることができる。判定部１０は、加速度又は振動検出装置が検出した信号が、予め記憶されたパターンと一致したとき、告知情報記憶手段１１に記憶してある告知情報から対応するデータを呼び出し、データ合成部３に送出して、読み出し部２からのデータと合成する。
【００２６】
又、受信部８として、これら受信機、撮像装置、音声認識装置、加速度又は振動検出装置の２種類以上を使用し、設定において、これらを切り換え、それぞれ、上記のような機能を行わせるようにしてもよい。また、本ヘッドマウントディスプレイは、記憶部に格納された映像以外にも、例えばテレビ放送の映像を表示できるようなものであってもよい。
【００２７】
以下、本発明の実施の形態の例であるヘッドマウントディスプレイの応用例を説明する。図２は、電車の中でヘッドマウントディスプレイの映像を観察している使用者に、電車が次の停車駅が西大井駅であることを知らせる例を示すものである。電車の車両中には、停車駅情報サーバ１２があり、適当な告知タイミングで、次の停車駅が西大井駅であることを発信すると、送信機１３よりそれが電波として発信される。
【００２８】
それは、使用者が使用しているヘッドマウントディスプレイ１４の、前記受信部８で受信され、前述の説明のような過程を経て、ヘッドマウントディスプレイ１４の表示画面とヘッドホーンに、次の停車駅が西大井駅であることが表示及び発声により告知される。
【００２９】
このとき、この使用者の降車駅が告知されたときのみ、前記の判定部１０が次の停車駅を告知するような制御を行うようにしてもよいし、停車駅が告知されるたびに、全ての告知駅を告知するようにしてもよい。また、ヘッドマウントディスプレイは、受信部８で受信されたら、直ちに告知を行うのではなく、停車駅情報サーバ１２から発信された予想停車時刻から適当な時間だけ経過した時刻になるまで告知せず、その時刻になったら告知するようにしてもよい。
【００３０】
図３は、駅又は車内に設置された放送装置から放送される内容を、ヘッドホーンに内蔵されたマイクロフォンが検知する例を示すものである。検知された情報の中に次の停車駅が西大井駅である旨の放送パターンがあった場合に、前述の説明のような過程を経て、ヘッドマウントディスプレイ１４の表示画面とヘッドホーンに、次の停車駅が西大井駅であることが表示及び発声により告知される。
【００３１】
又、受信部８として撮像装置を有する場合は、車両中に表示される次の停車駅の情報を撮像し、それに基づいて、次の停車駅をヘッドマウントディスプレイ１４の表示画面とヘッドホーンに出力するようにする。
【００３２】
さらに、受信部８として、加速度センサ又は振動センサを用いる場合は、これらのセンサにより列車の停止の回数をカウントし、その回数で次の停車駅を検出してヘッドマウントディスプレイ１４の表示画面とヘッドホーンに出力するようにする。
【００３３】
いずれの場合も、映像表示とヘッドホーンからの出力は、所定時間が経過したら止めるようにしてもよいし、使用者の操作により停止するようにしてもよい。又、映像表示方法を時間の経過と共に変化させるようにしてもよい、例えば時間の経過と共に、映像の輝度を強めたり、大きさを大きくしたりする。同様、音声出力も、時間の経過と共に大きくするようにしてもよい。
【００３４】
また、次のように表示すると、より使用者の注意を引き易くなり、告知を確実に使用者に認識させ易くなる。その表示方法とは、告知内容を表示した文字や図形情報を既に表示している情報に重畳させてヘッドマウントディスプレイ１４の表示エリア内で大きく動かしたり、また、同情報を既に表示している情報に重畳させた上でコントラストや輝度を繰り返し変化させる。他にも、既に表示されている情報と差し替えて、上述のような映像変化を与えることでもよい。このような画像処理を行なう場合、本実施の形態の一例では、データ合成部３に入力された判定部１０から発せられた情報を表示時間と共に表示位置が変わるように、データ合成部３で合成画像データを制御して、映像形成装置４にデータ合成部３で合成された画像を送出することで、使用者の注意を引きつつ、告知情報を表示することができる。
【図面の簡単な説明】
【００３５】
【図１】本発明の実施の形態の１例である映像表示装置の概要を示すブロック図である。
【図２】電車の中でヘッドマウントディスプレイの映像を観察している使用者に、電車の次の停車駅が西大井駅であることを知らせる例を示す図である。
【図３】駅又は車内に設置された放送装置から放送される内容を、ヘッドホーンに内蔵されたマイクロフォンが検知する例を示す図である。
【図４】ヘッドマウントディスプレイの構成の例を示す図である。
【符号の説明】
【００３６】
１…記憶部、２…読み出し部、３…データ合成部、４…映像形成装置、５…表示装置、６…音声形成装置、７…スピーカ、８…受信部、９…外部機器、１０…判定部、１１…告知情報記憶手段、１２…停車駅情報サーバ、１３…送信機、１４…ヘッドマウントディスプレイ
【図１】
2007078911.tif 000003
【図２】
2007078911.tif 000004
【図３】
2007078911.tif 000005
【図４】
2007078911.tif 000006